(57)【要約】【課題】重量の重いＵ字溝を用いたり撤去が必要な型枠を用いるようなことなく、容易に能率よく施工することができる排水用側溝装置を提供する。【解決手段】基礎１の上に金属板製のベースプレート２を設置し、このベースプレート２の上に高さ調整機構としてのボルト５を介して金属板製のトラフ７および側溝枠８を設けて排水路を構成する。ボルト５にはトラフ７および側溝枠８を支持する支持用のナット２１とその締結用のナット２２とが螺着されている。施工の際に前記支持用のナット２１を回してトラフ７および側溝枠８の高さのレベルを調整し、その調整後に締結用のナット２２で締結する。【選択図】    図１
2007107234.tif 000002
【特許請求の範囲】
【請求項１】
基礎の上に設置固定される金属板製のベースプレートと、
前記ベースプレートの上に高さ調整機構を介して支持される金属板製のトラフと、
前記トラフの両側上部に、互い対向して並列するように設置される一対の金属板製の側溝枠と、
を具備することを特徴とする排水用側溝装置。
【請求項２】
前記並列する側溝枠の上端部には、互に対向して側溝枠間の開口を覆う蓋体を支持するための受枠が一体的に設けられていることを特徴とする請求項１に記載の排水用側溝装置。
【請求項３】
前記高さ調整機構は、前記ベースプレートの上に垂直に設けられたボルトと、このボルトに螺着された支持用のナットおよび締結用のナットとを備え、前記支持用のナットで前記トラフを支持し、そのトラフおよび該トラフの上に設置される前記側溝枠を前記支持用のナットと前記締結用のナットとで締め付けて締結し、そのトラフおよび側溝枠を前記支持用のボルトで前記ベースプレートの上の所定のレベルの位置に支持することを特徴とする請求項１または２に記載の排水用側溝装置。
【発明の詳細な説明】
【技術分野】
【０００１】
この発明は、道路沿いや公園等の敷地内に施工される排水用側溝装置に関する。
【背景技術】
【０００２】
道路沿いや公園等の敷地内に排水用側溝を施工する従来の方法としては、掘り起こした地盤中にコンクリート製の複数のＵ字溝を順次直列状に繋ぎ合わせるように敷設して側溝を構成する方法や、掘り起こした地盤中に複数の型枠を所定形状に組み付けて設置し、その型枠内にコンクリートを打設し、その養生後に型枠を撤去して側溝を構成する方法が知られている。
【発明の開示】
【発明が解決しようとする課題】
【０００３】
しかしながら、コンクリート製のＵ字溝は比較的重量が重く、したがってその長手方向の寸法も比較的小さな寸法となっており、このようなＵ字溝を複数地盤中に敷設して排水用側溝を構成する方法では、その施工に多大な労力と時間を要し、能率が悪い。特に、その各Ｕ字溝の上端の位置を所定のレベルに合わせる作業が面倒で、より一層能率性が低下する。
【０００４】
また、側溝にはその上端の開口を覆う蓋体を装着することになるが、単にＵ字溝で構成される側溝では、その蓋体を支持するための受枠を側溝とは別の工程で設けなければならないという面倒な点がある。
【０００５】
一方、型枠を用いる方法では、その型枠の組み付けに面倒な作業を要し、またコンクリートの打設後における型枠の撤去が必要で、その撤去にも面倒な作業とコストがかかるという問題がある。
【０００６】
この発明はこのような点に着目してなされたもので、その目的とするところは、重量の重いＵ字溝を用いたり撤去が必要な型枠を用いるようなことなく、容易に能率よく施工でき、かつ高さのレベル出しも容易に行なえる排水用側溝装置を提供することにある。
【課題を解決するための手段】
【０００７】
この発明の排水用側溝装置は、基礎の上に設置固定される金属板製のベースプレートと、前記ベースプレートの上に高さ調整機構を介して支持される金属板製のトラフと、前記トラフの両側上部に、互い対向して並列するように設置される一対の金属板製の側溝枠とで構成される。
【０００８】
前記並列する側溝枠の上端部には、互に対向して側溝枠間の開口を覆う蓋体を支持するための受枠が一体的に設けられる。また、前記高さ調整機構は、前記ベースプレートの上に垂直に設けられたボルトと、このボルトに螺着された支持用のナットおよび締結用のナットとを備え、前記支持用のナットで前記トラフを支持し、そのトラフおよび該トラフの上に設置される前記側溝枠を前記支持用のナットと前記締結用のナットとで締め付けて締結し、そのトラフおよび側溝枠を前記支持用のボルトで前記ベースプレートの上の所定のレベルの位置に支持する。
【発明の効果】
【０００９】
この発明によれば、重量の重いＵ字溝を用いたり撤去が必要な型枠を用いるようなことなく、金属板製の軽量なベースプレート、トラフ、側溝枠を用いて容易に能率よく排水用側溝を施工することができる。そしてその側溝の上端のレベルの位置を高さ調整機構により的確にかつ能率よく調整することができる。
【発明を実施するための最良の形態】
【００１０】
以下、この発明の実施形態について図面を参照して説明する。
【００１１】
図１には施工後の排水用側溝装置の断面図を、図２にはその排水用側溝装置の平面図を、図３にはその排水用側溝装置の分解状態の斜視図を示してある。
【００１２】
図に示す符号１は、排水用側溝を設置すべき地盤の上に設けられたコンクリート製の基礎で、この基礎１の上にベースプレート２が設けられる。このベースプレート２は、一方向に長い平面的な梯子状をなし、１つのベースプレート２の長さは例えば２０００ｍｍ程度であり、このようなベースプレート２の複数が基礎１の上に順次直列状に繋ぎ合わされて所定の区間に設置され、それぞれコンクリート釘３を用いて基礎１に固定される。
【００１３】
ベースプレート２の上面には、高さ調整機構を構成する複数のボルト５が垂直に取り付けられている。これらボルト５は、ベースプレート２の幅方向に沿って左右に並び、かつベースプレート２の長さ方向に沿って所定の間隔ごとに配置するようにベースプレート２に取り付けられている。そして前記各ボルト５を介してベースプレート２の上にトラフ７と側溝枠８とが上下に重なるように支持される。
【００１４】
トラフ７は、一方向に長い樋状の主部１０と、この主部１０の両側上縁部からその外側に水平に突出するフランジ部１１とを一体的に有し、前記主部１０の底部が断面Ｖ字状をなしている。
【００１５】
前記側溝枠８は、トラフ７の上部両側の一対のフランジ部１１の上に互いに対向して並列するように設置される。トラフ７の上に設置される一対の側溝枠８は、側溝装置の施工が終了するまでは、図３に示すように複数のスペーサ部材１９により互いに所定の間隔で対向するように連結されて一体的な枠ユニット９として組み立てられている。
【００１６】
枠ユニット９として組み立てられている各側溝枠８は一方向に長い側板１２をそれぞれ有し、これら側板１２の上下縁にはその外側に水平に突出するフランジ部１３，１４が一体に形成され、また側板１２の外面には前記フランジ部１３，１４の相互間に渡って延びる補強桟１５が取り付けられ、さらに側板１２の両端側の端縁にはその外側に突出して垂直に配置するフランジ部１６が一体に形成されている。そして、各側板１２の上端縁のフランジ部１３の上には、互いに向き合うように断面Ｌ状の受枠１７が取り付けられ、これら受枠１７の内側の平面部には所定の間隔をあけて複数のボルト１８が図１に示すように取り付けられている。並列して並ぶ両側溝枠８を連結する前記スペーサ部材１９は受枠１７の内側に設けられた前記ボルト１８に嵌合され、そのボルト１８に螺着された袋ナット２９により側溝枠８に固定されている。
【００１７】
枠ユニット９の両側溝枠８は、図１に示すように、その下部のフランジ部１４がトラフ７の上部のフランジ部１１の上に重なるようにトラフ７の上に配置され、この状態でベースプレート２に設けられた高さ調整用の各ボルト５を介してベースプレート２の上に支持される。すなわち、図１および図３に示すように、前記ボルト５には支持用のナット２１が螺着されており、これらボルト５のナット２１の上部側が互いに重なる前記フランジ部１１，１４を貫通し、そのフランジ部１１，１４が前記ナット２１で支持される。そしてボルト５の前記フランジ部１１，１４の上部側に締結用のナット２２が螺着され、これらナット２２の締め付けで前記フランジ部１１，１４がボルト５に固定され、これによりトラフ７および側溝枠８が互いに締結されてベースプレート２の上に支持され、トラフ７および一対の側溝枠８により雨水等の水を流通させる排水路が構成される。
【００１８】
そして、前記締結用のナット２２を緩め、支持用のナット２１を回してその位置を変えることより、トラフ７および側溝枠８の高さのレベルを調整することができるようになっている。
【００１９】
側溝枠８の上部に互いに向き合うように設けられた受枠１７の内側には、側溝装置の施工終了後に図１に示すように両側溝枠８間の上部の開口を塞ぐ蓋体２５が脱着可能に嵌合される。この蓋体２５は通水用の複数のスリット２６および取付用の複数の透孔２７を有し、前記透孔２７が受枠１７の内側の前記ボルト１８に嵌合され、さらに蓋体２５の上方側から前記透孔２７を通して前記ボルト１８にキャップナット２８が螺着され、これらキャップナット２８の締め付けにより蓋体２５が受枠１７に固定される。
【００２０】
なお、前記ベースプレート２、トラフ７、側溝枠８は例えばステンレス板で形成され、前記蓋体２５は鋳鉄で形成される。
【００２１】
このような排水用側溝装置は、図２に示すように、地盤中の枡部３０に向って延びるように施工される。実際の施工に際しては、地盤中に設けた基礎１の上にベースプレート２を必要数順次直列状に継ぎ合わせて所定の長さの区間に渡るように設置してコンクリート釘３で固定する。そして、ベースプレート２の上面に高さ調整用のボルト５を取り付け、これらボルト５に支持用のナット２１を螺着する。
【００２２】
次に、トラフ７のフランジ部１１を前記ボルト５に差し込み、前記支持用のナット２１でトラフ７を支持する。この後、トラフ７の上に枠ユニット９として組み立てられている一対の側溝枠８を取り付ける。トラフ７に枠ユニット９の側溝枠８を取り付ける際には、各側溝枠８の下部のフランジ部１４を前記ボルト５に差し込みながらトラフ７の両側のフランジ部１１の上に重ね合わせる。そして前記ボルト５に締結用のナット２２を螺着し、これら締結用のナット２２と前記支持用のナット２１とで前記フランジ部１１，１４を挟み付けてトラフ７および側溝枠８をボルト５に締結する。この際、支持用のナット２１の位置を調整してトラフ７および側溝枠８を所定のレベル位置に定める。
【００２３】
トラフ７および枠ユニット９の側溝枠８は１つのベースプレート２と同じ長さに形成されており、したがって継ぎ合わされた各ベースプレート２の上には同様の手順でそれぞれトラフ７および側溝枠８を取り付ける。そして、その互いに隣り合う一方の側溝枠８の端部のフランジ部１６と他方の側溝枠８の端部のフランジ部１６とをボルトおよびナットとによる締結具（図示せず）で締結してその隣り合う側溝枠８およびトラフ７を連結する。
【００２４】
また、枡部３０に向く側の側溝枠８の端面には、図２および図４に示すように、排水用の端板３５を取り付ける。すなわち、図４に示すように、端板３５を並列する前記一対の側溝枠８の端部のフランジ部１６に突き当ててその両フランジ部１６にボルト３６およびナット３７とで締結する。この端板３５は側溝枠８の高さとトラフ７の高さとの合算分より大きな高さを有し、この端板３５により並列する一対の側溝枠８間の端面およびトラフ７の端面が閉塞される。そしてこの端板３５にはトラフ７の端面と対向する部分に円筒状の排水口３９が突出形成され、この排水口３９が前記枡部３０の側面に接続され、これによりトラフ７の内側を流れる水が前記排水口３９を通して枡部３０に排出される。
【００２５】
また、枡部３０の反対側に向く側溝枠８の最端側の端面には、閉塞用の端板４１を取り付ける。すなわち、端板４１を並列する一対の側溝枠８の端部のフランジ部１６に突き当ててその両フランジ部１６にボルト４３およびナット４４とで締結する。この端板４１は側溝枠８の高さとトラフ７の高さとの合算分より大きな高さを有し、この端板４１により並列する一対の側溝枠８間の端面およびトラフ７の端面が閉塞される。なお、枡部３０に向って一連に連なるトラフ７は、その底部が枡部３０に向って斜め下方に0.2％程度の勾配で傾斜するように高低差が付けられている。
【００２６】
側溝装置の施工が終了したのちには、図１に示すように、基礎１とトラフ７との間にモルタル４５を充填し、また並列する側溝枠８の外側の車道側および歩道側の領域にそれぞれコンクリートを打設して基礎４７，４８を形成する。さらに、基礎４７の上に、車道と側溝装置との間の境を仕切るための境界ブロック５０をモルタル５１を介して受枠１７の上端とほぼ面一となるように設置し、この境界ブロック５０の外側に道路用材を敷き込んで車道を仕上げる。また、基礎４８の上にモルタル５２を介して化粧タイルや化粧ブロックなどからなる複数の舗装材５３を受枠１７の上端とほぼ面一となるように敷き詰めて歩道を仕上げる。
【００２７】
車道および歩道の養生後には、並列する側溝枠８の上部間に架設されているスペーサ部材部材１９を取り外し、そのスペーサ部材１９に替えて側溝枠８の上部間に蓋体２５を装着し、キャップナット２８でその蓋体２５を固定する。なお、蓋体２５としては、格子状をなすグレーチング構造のものを用いることも可能である。
【００２８】
このような構成の側溝装置によれば、コンクリート製のＵ字溝を用いる場合に比べ、金属板からなるベースプレート２、トラフ７、側溝枠８は軽量であり、したがってその運搬や施工を容易に能率よく行なうことができる。そして、コンクリート打設用の型枠やその撤去の作業が全く不要であるから、作業性が向上すると同時にコストも軽減する。
【００２９】
ベースプレート２の上に設置するトラフ７および側溝枠８の高さの位置は、ボルト５に螺着した支持用のナット２１を回して上下に変位させるだけで容易に調整することができ、その調整で側溝枠８の上端の受枠１７の位置を歩道や車道の路面基準レベルに的確に合わせることができる。
【００３０】
さらに側溝枠８の上端部には、蓋体２５を受けるための受枠１７が一体的に設けられており、このため別途の施工で受枠１７を取り付けるような作業が不要となり、より一層施工能率が向上する。
【図面の簡単な説明】
【００３１】
【図１】この発明の一実施形態に係る排水用側溝装置の断面図。
【図２】その排水用側溝装置の平面図。
【図３】その排水用側溝装置の分解状態の斜視図。
【図４】その排水用側溝装置の枡部側の端部とその反対側の端部の構造を示す側面図。
【符号の説明】
【００３２】
１…基礎
２…ベースプレート
５…ボルト
７…トラフ
８…側溝枠
９…枠ユニット
１０…主部
１１…フランジ部
１２…側板
１３…フランジ部
１４…フランジ部
１５…補強桟
１６…フランジ部
１７…受枠
１８…ボルト
１９…スペーサ部材
２１…支持用のナット
２２…締結用のナット
２５…蓋体
２８…キャップナット
２９…袋ナット
３０…枡部
３５…端板
３９…排水口
４１…端板
５０…境界ブロック
５３…舗装材
【図１】
2007107234.tif 000003
【図２】
2007107234.tif 000004
【図３】
2007107234.tif 000005
【図４】
2007107234.tif 000006